(57)【特許請求の範囲】
【請求項１】
相互に異なる機能を有する複数のユニットから選択されたユニットが交換自在に装着される撮影装置であって、
撮影に関する指示に従って、被写体像を撮像する撮像部と、
画像を表示する、タッチパネルが組み込まれた表示画面と、
該撮影装置に装着されたユニットが有する機能に応じた操作子、および、前記指示を入力するための操作子を前記表示画面上に表示する表示部と、
前記表示画面上の、前記操作子が表示された領域を前記タッチパネルにおいて前記指示が入力される入力領域として設定する設定部と、
前記操作子に対する変更の指示に従って、前記表示部による前記操作子の表示形態を変更させるとともに、前記設定部による前記入力領域の設定も該表示形態の変更に合わせて変更させる変更部とを備えたことを特徴とする撮影装置。
【請求項２】
前記変更部は、前記表示形態として、前記操作子の位置、角度、およびサイズのうちの少なくとも１つを変更させるものであることを特徴とする請求項１記載の撮影装置。
【請求項３】
前記変更部は、前記表示部による前記操作子の表示色を変更させるものであることを特徴とする請求項１記載の撮影装置。
【請求項４】
前記表示部が、前記操作子を、右利きによる操作に適した右利き用位置と、左利きによる操作に適した左利き用位置とのいずれかの位置に選択的に表示するものであり、
前記変更部は、前記右利き用位置と前記左利き用位置との一方から他方に切り替えさせるものであることを特徴とする請求項１記載の撮影装置。
【請求項５】
前記表示部が、前記操作子として、操作子上を摺擦する操作を受けて、その摺擦距離に応じた操作値が入力されるスライド操作子を表示するものであり、
前記変更部は、前記スライド操作子における摺擦距離と操作値との対応比率を変更させるものであることを特徴とする請求項１記載の撮影装置。
【発明の詳細な説明】
【技術分野】
【０００１】
本発明は、被写体を撮影する撮影装置に関する。
【背景技術】
【０００２】
近年、撮影装置の分野においては、小型化競争に拍車がかかる一方、多機能化競争も激しさを増している。ユーザの要望に答えるため、各メーカは、撮影装置のボディを小型化するとともに、様々な操作子を撮影装置に装備して、多機能化に対応させている。
【０００３】
ここで、撮影装置のボディが小型化されるということは、配置スペースや見た目の都合上、操作子も小型化されることを意味する。また、撮影装置はますます多機能化しており、それに伴って、操作子の数自体も増加している。実際、近年では、小さなボディに、多数のしかも小さな操作子が装備された撮影装置が主流となっている。
【０００４】
しかし、これらの撮影装置は、若者にとっては見栄えがよく、しかも多くの機能が搭載された都合のいいものであっても、操作子が小型で込み合っているため、年配者や子供、あるいは手の大きい人などには、非常に使いにくいものになってしまっているのが現状である。
【０００５】
この点に関し、撮影装置にタッチパネル式の表示画面を備え、各種指示を入力するための操作子を表示画面上に表示する技術が提案されている（例えば、特許文献１、特許文献２、特許文献３、および特許文献４参照）。これらの技術によると、撮影装置に装備される機械的な操作子を減少させることができ、撮影装置をさらに小型化することができるうえ、これから行う処理に必要な操作子のみをその都度表示させることによって、操作子自体を大型化することができる。
【特許文献１】特開２００３−３３８９５４号公報
【特許文献２】特開２００１−３０９２１２号公報
【特許文献３】特開２００５−７８００９号公報
【特許文献４】特開２００５−２５２６８号公報
【発明の開示】
【発明が解決しようとする課題】
【０００６】
しかし、上述したタッチパネル式の表示画面を備えた撮影装置に、手が大きい人などに合わせた大きな操作子を用意すると、押すつもりがなかった操作子にも手が触れてしまうなど、手が大きい人以外の人にとっては逆に使いにくくなってしまったり、操作子のデザイン性に欠け、見栄えがよくないなどという問題がある。
【０００７】
本発明は、上記事情に鑑み、多様なユーザに対応した操作子を備えた撮影装置を提供することを目的とする。
【課題を解決するための手段】
【０００８】
上記目的を達成する本発明の撮影装置は、撮影に関する指示に従って、被写体像を撮像する撮像部と、
画像を表示する、タッチパネルが組み込まれた表示画面と、
指示を入力するための操作子を表示画面上に表示する表示部と、
表示画面上の、操作子が表示された領域をタッチパネルにおいて指示が入力される入力領域として設定する設定部と、
操作子に対する変更の指示に従って、表示部による操作子の表示形態を変更させるとともに、設定部による入力領域の設定も表示形態の変更に合わせて変更させる変更部とを備えたことを特徴とする。
【０００９】
本発明の撮影装置によると、タッチパネルが組み込まれた表示画面上に操作子が表示されて、その操作子が表示された領域が入力領域として設定されるとともに、その操作子に対する変更が指示されると、その指示に従って操作子の表示形態と入力領域が変更される。ユーザが、見た目の好みや操作性に合わせて操作子の大きさや配置位置の変更を指示することによって、その指示に従った操作子が提供されるため、多様なユーザに対応した撮影装置を実現することができる。
【００１０】
また、本発明の撮影装置において、上記変更部は、表示形態として、操作子の位置、角度、およびサイズのうちの少なくとも１つを変更させるものであることが好適である。
【００１１】
本発明の好適な形態の撮影装置によると、ユーザの利き手や手の大きさなどに適した使いやすい操作子を提供することができる。
【００１２】
また、本発明の撮影装置において、上記変更部は、表示部による操作子の表示色を変更させるものであることが好ましい。
【００１３】
操作子の表示色が変更されることによって、ユーザの好みに合わせた色の操作子を表示することができる。
【００１４】
また、本発明の撮影装置において、
「前記表示部が、操作子を、右利きによる操作に適した右利き用位置と、左利きによる操作に適した左利き用位置とのいずれかの位置に選択的に表示するものであり、
前記変更部は、右利き用位置と左利き用位置との一方から他方に切り替えさせるものである」
という形態は好ましい。
【００１５】
右利きのユーザと左利きのユーザとでは、操作子の位置が左右逆に配置されていることが好ましい場合が多い。操作子の位置を右利き用位置と左利き用位置のいずれかに切り替えることによって、両方のユーザにとって操作性が良好な撮影装置を実現することができる。
【００１６】
また、本発明の撮影装置において、
「この撮影装置は、相互に異なる機能を有する複数のユニットから選択されたユニットが交換自在に装着されるものであり、
この表示部は、この撮影装置に装着されたユニットが有する機能に応じた操作子を表示するものである」
という形態も好ましい。
【００１７】
撮影装置に装着されたユニットが有する機能に応じた操作子が表示されることによって、ユーザはそのユニットが有する機能を認識することができ、その機能を十分に活かすことができる。
【００１８】
また、本発明の撮影装置において、
「上記表示部が、操作子として、操作子上を摺擦する操作を受けて、その摺擦距離に応じた操作値が入力されるスライド操作子を表示するものであり、
上記変更部は、スライド操作子における摺擦距離と操作値との対応比率を変更させるものである」
という形態も好ましい。
【００１９】
スライド操作子をスライドさせたときの摺擦距離と操作値との対応比率が変更されることによって、ユーザの好みに合った操作感度のスライド操作子を提供することができる。
【発明の効果】
【００２０】
本発明によれば、多様なユーザに対応した操作子を備えた撮影装置を提供することができる。
【発明を実施するための最良の形態】
【００２１】
以下、図面を参照して本発明の実施の形態を説明する。
【００２２】
図１は、本発明の撮影装置の一実施形態であるデジタルカメラを前面斜め上から見た外観斜視図である。
【００２３】
図１に示すように、デジタルカメラ１００の前面には、撮影レンズ１０１、閃光発光部１０２、およびレンズカバー１０３が備えられている。デジタルカメラ１００は、小型のレンズやＣＣＤが内蔵され、小型化が図られたデジタルカメラであり、機械的なレリーズボタンなどは備えられていない。また、レンズカバー１０３の内側には電源スイッチが取り付けられており、レンズカバー１０３が開かれるとデジタルカメラ１００の電源が入り、レンズカバー１０３が閉じられるとデジタルカメラ１００の電源が切れる。
【００２４】
図２は、デジタルカメラ１００の背面図である。
【００２５】
デジタルカメラ１００の背面には、タッチパネルが搭載された液晶モニタ１３０が備えられている。デジタルカメラ１００の背面にも、機械的なレリーズボタン等は備えられていないが、液晶モニタ１３０上に各種操作子が表示され、ユーザが液晶モニタ１３０上の操作子に触れることによって、その操作に応じた指示が入力される。この操作子については、後で詳しく説明する。
【００２６】
図３は、デジタルカメラ１００の概略構成図である。
【００２７】
図３に示すように、デジタルカメラ１００には、撮影光学系１１０と、信号処理部１２０とが備えられている。デジタルカメラ１００には、それらのほかにも、撮影した画像を表示させるための液晶モニタ１３０、撮影した画像信号を記録しておくための外部記録媒体２００、図１に示すレンズカバー１０３に取り付けられた電源スイッチ１０３などが設けられている。
【００２８】
まず、図３を参照して、撮影光学系１１０の構成を説明する。
【００２９】
デジタルカメラ１００に入射してきた被写体光は、ズームレンズやフォーカスレンズなどで構成される撮影レンズ１０１を経て、被写体光の光量を調整する絞り１１３を通過した後、シャッタ１１２が開いている場合は、後段に配置されたＣＣＤ１１１上に結像する。本来、撮影光学系には複数のレンズが配備され、それら複数のレンズのうち少なくとも１つのレンズがピント調節に大きく関与し、各レンズの相対位置が焦点距離に関与するが、本明細書では、焦点距離の変化に係わるレンズをズームレンズと称し、ピントの調節に係わるレンズをフォーカスレンズと称している。
【００３０】
撮影レンズ１０１、絞り１１３、およびシャッタ１１２は、レンズ駆動部１０１ａ、絞り駆動部１１３ａ、およびシャッタ駆動部１１２ａによりそれぞれ駆動され移動する。これらレンズ駆動部１０１ａ、絞り駆動部１１３ａ、およびシャッタ駆動部１１２ａを作動させる指示は、信号処理部１２０中のシステムコントローラ１２３からモータドライバ１２０ｃを通じて伝達される。
【００３１】
撮影レンズ１０１に含まれるズームレンズやフォーカスレンズは、レンズ駆動部１０１ａによって、光軸に沿う方向に移動される。ズームレンズが、システムコントローラ１２３からの信号に応じた位置に移動されることによって、焦点距離が変化して撮影倍率が決定される。また、フォーカスレンズは、ＴＴＬＡＦ（Ｔｈｒｏｕｇｈ  Ｔｈｅ  Ｌｅｎｓ  Ａｕｔｏ  Ｆｏｃｕｓ）機能を実現するためのレンズである。このＴＴＬＡＦ機能とは、光軸に沿う方向にフォーカスレンズを移動させながら、ＣＣＤ１１１で得られた画像信号のコントラストを信号処理部１２０のＡＦ／ＡＥ演算部１２４で検出し、そのコントラストのピークが得られるレンズ位置をピント位置として、フォーカスレンズをピント位置に調節するものである。このＴＴＬＡＦ機能によって、コントラストがピークになる被写体に自動的に焦点を合わせて撮影を行うことができる。
【００３２】
絞り１１３は、絞り径を変化させることによって、ＣＣＤ１１２で受光される被写体光の光量を調整するものである。
【００３３】
撮影レンズ１０１、絞り１１３、およびシャッタ１１２を通過してきた被写体光はＣＣＤ１１１上で結像され、ＣＣＤ１１１において、被写体像を表わす画像信号が生成される。ＣＣＤ１１１は、本発明にいう撮像部の一例に相当する。
【００３４】
撮像光学系１１０は、以上のように構成されている。
【００３５】
続いて信号処理部１２０の構成を説明する。
【００３６】
ＣＣＤ１１１上に結像させた被写体像が画像信号としてアナログ処理（Ａ／Ｄ）部１２０ａに読み出され、このアナログ処理（Ａ／Ｄ）部１２０ａでアナログ信号がデジタル信号に変換されデジタル信号処理部１２０ｂへと供給される。デジタル信号処理部１２０ｂにはシステムコントローラ１２３が配備されており、システムコントローラ１２３からの指示によって、図３に示す各種要素で実行される処理が制御される。画像信号処理部１２１、バッファメモリ１２２、システムコントローラ１２３、ＡＦ／ＡＥ演算部１２４、表示制御部１２６、メディアコントローラ１２７、画像圧縮部１２８、およびキーコントローラ１２５との間のデータの受け渡しはバス１２００を介して行なわれ、そのバス１２００を介してデータの受け渡しが行なわれるときのバッファとして内部メモリ１２５が働いている。この内部メモリ１２５に各部の処理プロセスの進行状況に応じて変数となるデータが随時書き込まれて、画像信号処理部１２１、システムコントローラ１２３、ＡＦ／ＡＥ演算部１２４、表示制御部１２６、メディアコントローラ１２７、画像圧縮部１２８、およびキーコントローラ１２９の各部では、そのデータを参照することにより適切な処理が行なわれる。
【００３７】
ここで、本実施形態のデジタルカメラ１００には、機械的なレリーズボタンなどが設けられておらず、タッチパネル式の液晶モニタ１３０に機械的なレリーズボタンなどの代わりとなる操作子が表示され、ユーザが液晶モニタ１３０上に表示された操作子に触れることによって各種指示が入力される。以下では、一旦図３の説明を中断し、操作子を表示させるための各種要素について説明する。
【００３８】
図４は、操作子を表示させるための各種要素を示す図である。
【００３９】
図４には、図３にも示すシステムコントローラ１２３、画像表示制御部１２６、キーコントローラ１２９、液晶モニタ１３０、および内部メモリ１２５が示されている。
【００４０】
内部メモリ１２５には、レリーズボタンなどといった各種操作子を表わす操作子データが予め記憶されている。また、操作子データには、その操作子データが表わす操作子が液晶モニタ１３０上のどの位置に配置されるのかを表わす配置情報が付加されている。
【００４１】
液晶モニタ１３０は、画像や操作子などを表示する表示画面１３１と、指などが表示画面１３１の表面に触れたことを検知するタッチパネル１３２とで構成されている。本実施形態のタッチパネル１３２は、抵抗膜方式が採用されたものであり、表示画面１３１に指などが触れると、その指などが触れた位置（以下では、この位置を入力位置と称する）を表わす位置情報が生成される。生成された位置情報は、キーコントローラ１２９に伝えられる。タッチパネル１３２は、本発明にいうタッチパネルの一例にあたり、液晶モニタ１３０は、本発明にいう表示画面の一例に相当する。
【００４２】
画像表示制御部１２６は、システムコントローラ１２３からの指示に従って、バッファメモリ１２２に記憶された画像データや、内部メモリ１２５に記憶された操作子データなどを取得し、画像データが表わす画像や操作子データが表わす操作子などを表示画面１３１上に表示させる。画像表示制御部１２６は、本発明にいう表示部の一例に相当する。
【００４３】
キーコントローラ１２９は、内部メモリ１２５に記憶された操作子データを取得し、操作子データが表わす操作子の形状や大きさ、および操作子データに付加された配置情報が表わす操作子の配置位置などに基づいて、表示画面１３１上の、操作子による指示が入力される領域（以下では、この領域を入力領域と称する）を設定する。さらに、キーコントローラ１２９は、タッチパネル１３２で生成された位置情報を取得し、その位置情報が表わす入力位置が入力領域に含まれている場合には、その操作子による操作を受け付けたと判断し、その操作内容をシステムコントローラ１２３に伝える。キーコントローラ１２９は、本発明にいう設定部の一例に相当する。
【００４４】
システムコントローラ１２３には、キーコントローラ１２９から、撮影に関する操作を表わす撮影操作と、表示画面１３１上に表示された操作子の大きさや色などを変更するための変更操作との２種類の操作内容が伝えられる。システムコントローラ１２３は、撮影操作が伝えられたときには、図３に示す各種要素に撮影操作に応じた撮影指示を伝え、変更操作が伝えられたときには、その変更操作に応じて操作子の形状や色などを変更するとともに、操作子の配置位置を表わす配置情報を更新し、変更後の操作子を表わす操作子データを生成する。また、システムコントローラ１２３は、変更後の操作子データを内部メモリ１２５に記憶させ、画像表示制御部１２６、およびキーコントローラ１２９に、変更後の操作子データの取得を指示する。画像表示制御部１２６は、変更後の操作子データを取得すると、その操作子データが表わす変更後の操作子を表示画面１３１上に表示させ、キーコントローラ１２９は、表示画面１３１上に変更後の操作子が表示される領域を新たな入力領域として設定する。システムコントローラ１２３は、本発明にいう変更部の一例に相当する。
【００４５】
以上で、図４の説明を終了し、図３に戻って説明する。
【００４６】
レンズカバー１０３が開かれて電源スイッチ１０４が入切されたり、液晶モニタ１３０上に表示されたレリーズボタンなどが操作されると、その操作されたという情報がキーコントローラ１２９や表示制御部１２６を経由してシステムコントローラ１２３に伝えられ、システムコントローラ１２３内のプログラムの手順にしたがって各部のプロセスが立ち上げられて、操作に応じた処理が行われる。
【００４７】
レリーズ操作が行われると、ＣＣＤ１１１から読み出された画像データは、アナログ処理（Ａ／Ｄ）部１２０ａでアナログ信号からデジタル信号に変換され、このデジタル化された画像データがデジタル信号処理部１２０ｂ内のバッファメモリ１２２にいったん蓄えられる。このデジタル化された画像データのＲＧＢ信号が画像信号処理部１２１でＹＣ信号に変換され、さらに画像圧縮部１２８でＪＰＥＧ圧縮と呼ばれる圧縮が行なわれて画像信号が画像ファイルとなってメディアコントローラ１２７を介して外部記録媒体２００に記録される。この画像ファイルとして記録された画像データは、表示制御部１２６を通じて液晶モニタ１３０において再生される。この処理の際、ＡＦ／ＡＥ演算部１２４では、ピント調節のためにＲＧＢ信号から被写体距離ごとにコントラストを検出することが行なわれる。この検出結果に基づいて、撮影レンズ１０１内のフォーカスレンズによってピント調整が行われる。またＡＦ／ＡＥ演算部１２４ではＲＧＢ信号から輝度信号が抽出され、そこから被写界輝度が検出される。
【００４８】
デジタルカメラ１００は、基本的には以上のように構成されている。
【００４９】
ここで、本実施形態のデジタルカメラ１００は、電源スイッチ１０４以外の機械的な操作子が設けられておらず、操作子がタッチパネル式の液晶モニタ１３０上に表示されることによって、小型化が図られている。また、液晶モニタ１３０上に表示される操作子は、大きさや色などをユーザの好みによって変更することができる。以下では、液晶モニタ１３０に表示される各種操作子、およびそれら操作子の表示形態の変更について詳しく説明する。
【００５０】
まず、液晶モニタ１３０上に表示された操作子と、それら操作子を使って撮影を行う手順について説明する。
【００５１】
ユーザが図１に示すレンズカバー１０３を開くと、電源スイッチ１０４が入り、デジタルカメラ１００の内部では、スルー画像データの生成が開始される。ＣＣＤ１１１で生成された画像信号は、アナログ処理（Ａ／Ｄ）部１２０ａにおいて粗く読み出され、低解像度なスルー画像データが生成される。生成されたスルー画像データは、一旦バッファメモリ１２２に保存された後で表示制御部１２６に伝えられ、液晶モニタ１３０上にスルー画像が表示される。また、システムコントローラ１２３からの指示によって、内部メモリ１２５に予め用意されている操作子データが表示制御部１２６に読み出され、液晶モニタ１３０上に操作子データが表わす操作子も表示される。
【００５２】
図５は、液晶モニタ１３０上に表示されたスルー画像と操作子の一例を示す図である。
【００５３】
液晶モニタ１３０には、スルー画像３１０が表示されており、さらに、フォーカス領域を示すフォーカス枠の表示／非表示を切り替える表示ボタン３２１、閃光の発光／非発光を切り替える閃光ボタン３２２、メニュー画面を表示させるメニューボタン３２３、撮影を指示するレリーズボタン３３１、広角撮影を行うための広角ボタン３３２１、望遠撮影を行うための望遠ボタン３３２２、右端に近いほど広角撮影を表わし、左端に近いほど望遠撮影を表わし、ポインタ３３２３がスライドされることによって、ポインタ３３２３の位置が表わす撮影画角の撮影を指示するスライドバー３２３などといった各種操作子が表示される。本実施形態のデジタルカメラ１００では、広角ボタン３３２１、および望遠ボタン３３２２を使って撮影画角を１０段階に切り替えることができる。例えば、望遠ボタン３３２２を押していくと、その押した数だけ撮影画角が望遠側に変更される。また、スライドバー３３２の両端は、１０段階の撮影画角の最大値と最小値それぞれにあたり、広角ボタン３３２１、および望遠ボタン３３２２が押されると、ポインタ３３２３がスライドバー３３２上の指定された撮影画角に対応した位置に移動する。撮影画角は、ユーザがポインタ３３２３をスライドバー３３２上で直接移動させることによっても指定することができ、その場合には、撮影画角の最大値と最小値との間の範囲内で、任意の撮影画角を指定することができる。
【００５４】
このような各種のボタン当が表示された液晶モニタ１３０上で、ユーザがメニューボタン３２３を押したとすると、図４に示すタッチパネル１３２において、ユーザによって押された入力位置を表わす位置情報が生成される。位置情報は、キーコントローラ１２９に伝えられる。
【００５５】
キーコントローラ１２９では、各種操作子における指示が入力される入力領域が設定され、位置情報が表わす位置が入力領域内に含まれているか否かが判定される。ここでは、ユーザはメニューボタン３２３上を押しているため、位置情報が表わす位置がメニューボタン３２３の入力領域内に含まれていると判定され、メニューボタン３２３が操作されたことが判断されて、メニューボタン３２３が操作されたことがシステムコントローラ１２３に伝えられる。システムコントローラは、画像表示制御部１２６、にメニュー画面を構成する操作子を表示させる指示を与え、画像表示制御部１２６は、液晶モニタ１３０上にメニュー画面を表示させる。
【００５６】
図６は、液晶モニタ１３０に表示されたメニュー画面の一例を示す図である。
【００５７】
メニュー画面３５０は、静止画撮影における撮影モードを指定する撮影モードバー３５１、撮影画像の画素数を指定する画素数バー３５２、ＩＳＯ感度を指定するＩＳＯ感度バー３５３、フィルム色を指定するフィルム色バー３５４、ホワイトバランスの有無を指定するＷＢバー３５５、ＡＦモードを指定するＡＦバー３５６、セットアップ用メニューを表示するセットアップバー３５７で構成されており、各バーの右端には、現在の設定状態が示されている。また、液晶モニタ１３０には、図５にも示すスルー画像３１０およびレリーズボタン３３１、指定された内容を取り消すキャンセルボタン３２４、指定された内容を確定するＯＫボタン３２５、および指定位置を上下左右に移動させる十字ボタン３３３も表示されている。
【００５８】
メニュー画面３５０が表示された初期状態においては、図６に示すように撮影モードを指定する撮影モードバー３５１が選択されており、ユーザがＯＫボタン３２５を押すと、上述したメニューボタン３２３が押されたときと同様な一連の処理が行われて、液晶モニタ１３０上に撮影モードメニューが表示される。
【００５９】
図７は、液晶モニタ１３０に表示された撮影モードメニューの一例を示す図である。
【００６０】
撮影モードメニュー３５１１は、図６に示すメニュー画面３５０上に表示されるポップアップメニューであり、人物を撮影する人物モード、スポーツを撮影するスポーツモードなどといった各種撮影モードを表現するためのマーク画像３５１１ａが表示されている。
【００６１】
ユーザが、図７に示す撮影モードメニュー３５１１中の１つのマーク画像３５１１ａを十字ボタン２３３３の操作で選択してＯＫボタン３２５を押すと、そのマーク画像３５１１ａが表現する撮影モードが設定され、液晶モニタ１３０には図５に示す画面が再表示される。
【００６２】
ユーザが図５に示すスルー画像３１０を使って撮影画角を確認し、レリーズボタン３３１を押すと、フォーカスロックが設定される。
【００６３】
図８は、フォーカスロックが設定されたときに液晶モニタ１３０に表示された画面の一例を示す図である。
【００６４】
フォーカスロックが設定されたときには、図５に示す表示ボタン３２１、閃光ボタン３２２、およびメニューボタン３２３などは表示されず、それらの代わりに、操作方法を説明するガイド画像３２６が表示される。また、レリーズボタン３３１とは離れた位置に、撮影を中止する中止ボタン３３４が表示される。レリーズボタン３３１が押されたままの状態においては、上述したＡＦ機能が実行されて撮影レンズ１０１中のフォーカスレンズの位置が維持されており、レリーズボタン３３１から指が離れると被写体の撮影が開始される。また、レリーズボタン３３１に指が触れたまま、指を中止ボタン３３４までスライドさせると、撮影が中止される。
【００６５】
本実施形態のデジタルカメラ１００では、以上のような操作子が液晶モニタ１３０上に表示され、それらの操作子を使って各種指示が入力される。
【００６６】
ここで、本実施形態のデジタルカメラ１００には、各種操作子を好みに合わせて変更する機能が搭載されている。以下では、操作子の変更について説明する。
【００６７】
操作子の表示形態を変更するときには、まず、図６に示すメニュー画面３５０において、セットアップバー３５７を選択してＯＫボタン３２５を押す。セットアップバー３５７の選択が確定されると、液晶モニタ１３０上にセットアップメニューが表示される。
【００６８】
図９は、液晶モニタ１３０に表示されたセットアップメニューの一例を示す図である。
【００６９】
セットアップメニュー３５７１も、図７に示す撮影モードメニュー３５１１と同様に、図６に示すメニュー画面３５０上に表示されるポップアップメニューであり、デジタルカメラ１００の時刻を設定する日付メニュー、操作子のレイアウトを設定するレイアウトメニュー、スライドバーの変更量を設定するスライドメニュー、操作子の色を設定する色メニューが表示されている。
【００７０】
例えば、レイアウトメニューを選択し、ＯＫボタン３２５を押すと、液晶モニタ１３０上に、操作子の大きさ、配置、角度などを変更するためのレイアウト変更画面が表示される。
【００７１】
図１０は、液晶モニタ１３０上に表示されたレイアウト変更画面の一例を示す図である。
【００７２】
レイアウト変更画面は、図６にも示すキャンセルボタン３２４およびＯＫボタン３２５と、操作子の配置位置を反転する反転ボタン３２６と、図５に示すレリーズボタン３３１に対応するレリーズボタン３３１´と、操作子を移動する移動ボタン３６１と、および操作子の大きさを変更するサイズ変更ボタン３６２とで構成されている。
【００７３】
図１０のパート（Ａ）では、シャッタチャンスを見計らって押されるレリーズボタンが右側に設けられており、右利きのユーザにとって操作性が良好な配置となっている。しかし、左利きのユーザにとっては、利き手ではない右手を使って、一瞬のシャッタチャンスにレリーズボタンを押すことが要求されるため、使いにくいという問題がある。左利きのユーザは、反転ボタン３２６を押して操作子の配置位置を反転させる。
【００７４】
ユーザによって反転ボタン３２６が押されると、図４に示すタッチパネル１３２において、ユーザによって押された入力位置を表わす位置情報が生成され、生成された位置情報がキーコントローラ１２９に伝えられる。キーコントローラ１２９では、位置情報が表わす入力位置が反転ボタン３２６の入力領域に含まれることが判定され、反転ボタン３２６が操作されたことがシステムコントローラに伝えられる。システムコントローラ１２３では、反転ボタン３２６の操作に従って配置位置を反転させた操作子を表わす操作子データが生成され、生成された操作子データが内部メモリ１２５に記憶されるとともに、画像表示制御部１２６およびキーコントローラ１２９に、変更後の操作子データを取得する指示が与えられる。画像表示制御部１２６は、配置位置が反転された操作子を液晶モニタ１３０上に表示し、キーコントローラ１２９は、配置位置が反転された操作子が表示される領域を新たな入力領域として設定する。
【００７５】
図１０のパート（Ｂ）には、配置位置が反転された操作子が表示されている。図１０のパート（Ｂ）では、素早い操作が要求されるレリーズボタンが左側に配置されており、左利きのユーザにとって操作性が向上する。このように、操作子を右利き用の配置、および左利き用の配置それぞれに切り替えることによって、右利きおよび左利き両方のユーザにとって使いやすい撮影装置を実現することができる。
【００７６】
また、操作子の位置を変更したいときには、移動ボタン３６１を押した後、操作子をスライドさせ、操作子の大きさを変更したいときには、サイズ変更ボタン３６２を押した後、操作子に触れる。
【００７７】
図１１は、操作子の移動、および操作子のサイズ変更を説明するための図である。
【００７８】
移動ボタン３６１が選択された状態で、レリーズボタン３３１´や、レリーズボタン３３１´が表示されている枠をスライドさせると、レリーズボタン３３１´が枠ごと移動される。図１１のパート（Ａ）では、操作子全体が液晶モニタ１３０の下側に移動されている。
【００７９】
また、サイズ変更ボタン３６２が選択された状態で、レリーズボタン３３１を１回ずつ押すと（シングルクリック）、シングルクリックされた数だけレリーズボタン３３１や枠が段階的に拡大される。図１１のパート（Ｂ）では、図１０と比較して操作子全体が１段階拡大されている。また、レリーズボタン３３１を連続して２回押すと（ダブルクリック）、ダブルクリックされた数だけレリーズボタン３３１や枠が段階的に縮小される。
【００８０】
図１１に示すように、操作子の移動やサイズ変更を行うときにも、図４に示すタッチパネル１３２で生成された位置情報がキーコントローラ１２９に伝えられ、キーコントローラ１２９からシステムコントローラ１２３に変更指示が伝えられる。システムコントローラ１２３では、変更指示に従って、サイズが変更された操作子データや、配置情報が更新された操作子データが生成され、生成された変更後の操作子データに基づいて、画像表示制御部１２６によって液晶モニタ１３０上に変更後の操作子が表示され、キーコントローラ１２９によって入力領域が更新される。
【００８１】
このように、本実施形態のデジタルカメラ１００によると、ユーザが手の大きさや操作性に合わせて操作子の位置やサイズを変更することができ、多様なユーザにとって操作性が優れた操作子を提供することができる。
【００８２】
図９に示すセットアップメニュー３５７１でレイアウトメニューを選択することにより、以上のような操作子の変更を行うことができる。
【００８３】
また、スライドバー３２２のスライド量を変更したいときには、図９に示すセットアップメニュー３５７１のスライドメニューを選択し、ＯＫボタン３２５を押すと、液晶モニタ１３０上に、スライド量を変更するためのスライド変更画面が表示される。
【００８４】
図１２は、液晶モニタ１３０上に表示されたスライド変更画面の一例を示す図である。
【００８５】
スライド変更画面は、図６にも示すキャンセルボタン３２４およびＯＫボタン３２５と、図５に示す広角ボタン３３２１と、望遠ボタン３３２２と、スライドバー３３２のそれぞれに対応する広角ボタン３３２１´と、望遠ボタン３３２２´と、およびスライドバー３３２´とで構成されている。
【００８６】
スライドバー３３２の両端は、撮影画角の最大値と最小値それぞれに対応しているが、スライドバー３３２の長さが短いと、手が大きい人などは、ポインタ３３２３の位置を細かく移動させることが困難である。図１２に示すスライド変更画面において、スライドバー３３２を指で押してそのままスライドさせると、スライドバー３３２の長さが変更される。
【００８７】
図１２のパート（Ａ）では、スライドバーの長さが短い。このスライドバーの両端が撮影画角の最大値および最小値に対応するため、スライドバー上でポインタを所定距離だけ動かしたときの撮影画角の変更度合いが大きい。すなわち、スライドバーの変更感度が大きく、ポインタを少し動かしただけで撮影画角が大きく変更される。
【００８８】
図１２のパート（Ｂ）では、スライドバーの長さが長く、スライドバー上でポインタを所定距離だけ動かしたときの撮影画角の変更度合いが小さい。すなわち、スライドバーの変更感度が小さく、撮影画角を細かく指定することができる。
【００８９】
図９に示すセットアップメニュー３５７１でスライド量を選択することにより、以上のようなスライド量の変更を行うことができる。
【００９０】
また、操作子の色を変更したいときには、図９に示すセットアップメニュー３５７１の色メニューを選択すると、液晶モニタ１３０上に、操作子の色を変更するための色変更画面が表示される。
【００９１】
図１３は、液晶モニタ１３０上に表示された色変更画面の一例を示す図である。
【００９２】
色変更画面は、図５に示す広角ボタン３３２１と、望遠ボタン３３２２と、およびスライドバー３３２のそれぞれに対応する広角ボタン３３２１´と、望遠ボタン３３２２´と、およびスライドバー３３２´と、図５にも示すキャンセルボタン３２４およびＯＫボタン３２５と、相互に異なる複数の色が示されたパレット３７０と、操作子などを指示するポインタ３８１と、ポインタ３８１の操作を有効にする選択ボタン３８０とで構成されている。
【００９３】
例えば、スライドバー３３２の色を変更したいときには、選択ボタン３８０を押してポインタ３８１を有効にした後、ポインタ３８１をスライドバー３３２´に移動させ、パレット３７０中の所望の色を指定する。さらに、ＯＫボタン３２５を押すと、スライドバー３３２´の色が指定された色に変更される。
【００９４】
このように、本実施形態のデジタルカメラ１００によると、操作子の色を好みに合わせて変更することができる。
【００９５】
以上で、本発明の第１実施形態の説明を終了し、本発明の第２実施形態について説明する。本発明の第２実施形態は、レンズやＣＣＤが搭載されたレンズユニットがカメラ本体に交換自在に装着される点が第１実施形態とは異なるが、ほぼ同様の構成を有しているため、同じ要素には同じ符号を付して説明を省略する。
【００９６】
図１４は、本発明の第２実施形態が適用されたカメラシステムの分解図である。
【００９７】
図１４に示すカメラシステム４００には、撮影レンズやＣＣＤが内蔵された複数種類のレンズユニット１＿ａ，２＿ａ，…，ｎ＿ａが用意されており、それら複数種類のレンズユニットのうちいずれかの種類のレンズユニットが選択されて使用される。以下の説明においては、複数種類のレンズユニット１＿ａ，２＿ａ，…，ｎ＿ａのうち１番目のレンズユニット１＿ａが選択されたものとして説明を行う。
【００９８】
カメラシステム４００は、レンズユニット１＿ａと、レンズユニット１＿ａが着脱自在に装着されるカメラ本体１＿ｂとで構成されている。レンズユニット１＿ａ，２＿ａ，…，ｎ＿ａは、本発明にいうユニットの一例にそれぞれ相当する。
【００９９】
カメラ本体１＿ｂの前面側にはマウント４００ｂが設けられており、このマウント４００ｂに、レンズユニットに設けられたマウントコネクタ４００ａが着脱自在に嵌合する。
【０１００】
図１５は、図１４に示すカメラシステム４００の内部構成図である。
【０１０１】
このカメラシステム４００は、図３に示す第１実施形態のデジタルカメラ１００とほぼ同様の構成を有している。
【０１０２】
レンズユニット１＿ａには、図３にも示す撮影レンズ１０１、レンズ駆動部１０１ａ、絞り１１３、絞り駆動部１１３ａ、シャッタ１１２、シャッタ駆動部１１２ａ、ＣＣＤ１１１、アナログ処理部１２０ａ、モータドライバ１２０ｃなどが備えられており、さらに、図３のデジタル信号処理部１２０ｂの一部であるＡＦ／ＡＥ部１２４、バッファメモリ１２２ａ、および内部メモリ１２５ａ、レンズユニット１＿ａを構成する各種要素を制御するヘッドコントローラ１２３ａ、およびカメラ本体１＿ｂに画像データなどを送信する通信部１３０ａも備えられている。
【０１０３】
レンズユニット１＿ａのマウントコネクタ１０ａは、カメラ本体１＿ｂのマウント１０ｂに着脱自在に嵌合する。これらレンズユニット１＿ａとカメラ本体１＿ｂとの間では、マウントコネクタ１０ａとマウント１０ｂに設けられた電気的接点を介して通信が行われる。
【０１０４】
また、カメラ本体１＿ｂには、図３にも示す画像処理部１２１、バッファメモリ１２２ｂ、内部メモリ１２５ｂ、表示制御部１２６、液晶モニタ１３０、画像圧縮部１２８、キーコントローラ１２９、メディアコントローラ１２７、電源スイッチ１０４が備えられておりう、さらに、カメラ本体１＿ｂを構成する各種要素を制御する本体コントローラ１２３ｂ、およびレンズユニット１＿ａから画像データなどを受信する通信部１３０ｂも備えられている。
【０１０５】
レンズユニット１＿ａの内部メモリ１２５ａには、ＣＣＤ１１１の画素数やＩＳＯ感度などで構成されたレンズパラメータが予め記憶されており、カメラ本体１＿ｂにレンズユニット１＿ａが装着されると、レンズユニット１＿ａのヘッドコントローラ１２３ａによってレンズパラメータが読み出され、レンズパラメータが通信部１３０ａからカメラ本体１＿ｂに送信される。本実施形態では、１番目のレンズユニット１＿ａに備えられたＣＣＤ１１１の最大ＩＳＯ感度は「ＩＳＯ２００」であるものとして説明する。
【０１０６】
カメラ本体１＿ｂでは、通信部１３０ｂにおいてレンズパラメータが受信され、受信されたレンズパラメータが本体コントローラ１２３ｂに伝えられる。
【０１０７】
本体コントローラ１２３ｂは、レンズパラメータが伝えられると、操作子データが表わす操作子に、レンズパラメータに含まれるＣＣＤ１１１の画素数や感度などを反映して、変更後の操作子を表わす操作子データを生成する。本体コントローラ１２３ｂは、変更後の操作子データを内部メモリ１２５ｂに記憶させるとともに、表示制御部１２６およびキーコントローラ１２９に変更後の操作子データを取得する指示を与える。
【０１０８】
表示制御部１２６は、変更後の操作子データが表わす操作子を液晶モニタ１３０上に表示させ、キーコントローラ１２９は、変更後の操作子が表示される領域を新たな入力領域として設定する。
【０１０９】
図１６は、レンズパラメータが反映された操作子が表示された液晶モニタ１３０の一例を示す図である。
【０１１０】
図１６では、メニュー画面３５０中のＩＳＯ感度バー３５３が選択されており、このカメラシステム４００で実現可能なＩＳＯ感度の中から所望のＩＳＯ感度を選択するためのＩＳＯ感度メニュー３５３１が表示されている。この例では、カメラ本体１＿ｂに１番目のレンズユニット１＿ａが装着されており、ＩＳＯ２００を指定するＩＳＯ２００メニューのみ選択することができる。
【０１１１】
また、カメラ本体１＿ｂに、最大ＩＳＯ感度が「ＩＳＯ４００」であるＣＣＤ１１１が備えられたレンズユニットｎ＿ａが装着された場合には、本体コントローラ１２３ｂに最大ＩＳＯ感度が「ＩＳＯ４００」であることを示すレンズパラメータが伝えられ、レンズパラメータが反映された変更操作子が表示される。
【０１１２】
図１７は、レンズユニットｎ＿ａのレンズパラメータが反映された操作子が表示された液晶モニタ１３０の一例を示す図である。
【０１１３】
図１７では、ＩＳＯ感度メニュー３５３１において、ＩＳＯ２００を指定するＩＳＯ２００メニューと、ＩＳＯ４００を指定するＩＳＯ４００とが表示されており、ユーザは、それら２つのメニューのうちの一方を選択することができる。
【０１１４】
このように、カメラ本体１＿ｂに装着されるユニットが有する機能に応じた操作子が表示されることによって、ユーザはその機能を認識して有効的に利用することができる。
【０１１５】
ここで、上記では、本発明の撮影装置をデジタルカメラに適用する例について説明したが、本発明の撮影装置は、例えば、携帯電話などに適用してもよい。
【０１１６】
また、上記では、抵抗膜方式が適用されたタッチパネルについて説明したが、本発明にいうタッチパネルは、例えば、赤外線方式や静電容量方式などを採用したものであってもよい。
【図面の簡単な説明】
【０１１７】
【図１】本発明の撮影装置の一実施形態であるデジタルカメラを前面斜め上から見た外観斜視図である。
【図２】デジタルカメラ１００の背面図である。
【図３】デジタルカメラ１００の概略構成図である。
【図４】図３に示す表示制御部１２６と液晶モニタ１３０の機能ブロック図である。
【図５】液晶モニタ１３０上に表示されたスルー画像と操作子の一例を示す図である。
【図６】液晶モニタ１３０に表示されたメニュー画面の一例を示す図である。
【図７】液晶モニタ１３０に表示された撮影モードメニューの一例を示す図である。
【図８】フォーカスロックが設定されたときに液晶モニタ１３０に表示された画面の一例を示す図である。
【図９】液晶モニタ１３０に表示されたセットアップメニューの一例を示す図である。
【図１０】液晶モニタ１３０上に表示されたレイアウト変更画面の一例を示す図である。
【図１１】操作子の移動、および操作子のサイズ変更を説明するための図である。
【図１２】液晶モニタ１３０上に表示されたスライド変更画面の一例を示す図である。
【図１３】液晶モニタ１３０上に表示された色変更画面の一例を示す図である。
【図１４】本発明の第２実施形態が適用されたカメラシステムの分解図である。
【図１５】図１４に示すカメラシステム４００の内部構成図である。
【図１６】レンズパラメータが反映された操作子が表示された液晶モニタ１３０の一例を示す図である。
【図１７】レンズユニットｎ＿ａのレンズパラメータが反映された操作子が表示された液晶モニタ１３０の一例を示す図である。
【符号の説明】
【０１１８】
１００    デジタルカメラ
１０１    撮影レンズ
１０１ａ    レンズ駆動部
１０２    ファインダ対物窓
１０３    補助光発光部
１０４    電源スイッチ
１１０    撮影光学系
１１１    ＣＣＤ
１１２    シャッタ
１１２ａ    シャッタ駆動部
１１３    絞り
１１３ａ    絞り駆動部
１２０    信号処理部
１２０ａ    Ａ／Ｄ部
１２０ｂ    デジタル信号処理部
１２１    画像信号処理部
１２２    バッファメモリ
１２３    システムコントローラ
１２４    ＡＦ／ＡＥ演算部
１２５    内部メモリ
１２６    表示制御部
１２７    メディアコントローラ
１２８    画像圧縮部
１２９    キーコントローラ
１２００    バス
１４０    液晶モニタ
【図１】
0004490888.tif 000002
【図２】
0004490888.tif 000003
【図３】
0004490888.tif 000004
【図４】
0004490888.tif 000005
【図５】
0004490888.tif 000006
【図６】
0004490888.tif 000007
【図７】
0004490888.tif 000008
【図８】
0004490888.tif 000009
【図９】
0004490888.tif 000010
【図１０】
0004490888.tif 000011
【図１１】
0004490888.tif 000012
【図１２】
0004490888.tif 000013
【図１３】
0004490888.tif 000014
【図１４】
0004490888.tif 000015
【図１５】
0004490888.tif 000016
【図１６】
0004490888.tif 000017
【図１７】
0004490888.tif 000018